(57)【要約】【課題】患者の体腔内に挿入されて使用される医療機器からの熱的な影響を考慮して体腔内の送気ガスの温度を一定に保ち、患者の体温の上昇或いは低下を防止できると共に、消費電力の節減を図ることが可能な送気装置を提供することを目的としている。【解決手段】送気装置５の送気／停止に応じて加温・加湿装置６のヒータをＯＮ／ＯＦＦして消費電力を節減し、また、制御装置７により、光源装置３の動作状態、高周波焼灼装置４の出力状態並びに出力値を検出して加熱制御量を決定し、加温・加湿装置６のヒータを制御する。これにより、高周波焼灼装置４や光源装置３等の医療機器から腹腔内の送気ガスに与えられる熱量を考慮して送気ガスの加温を行うことができ、腹腔内の送気ガスの温度を一定に保って患者の体温の上昇或いは低下を防止することができる。【選択図】    図１
2004159688.tif 000002
【特許請求の範囲】
【請求項１】
患者の体腔内に注入するための所定の気体を所定の圧力で送気可能な送気源と、
前記送気源に接続されると共に前記患者の体腔内に挿入され、前記送気源より送気される前記所定の気体を前記患者の体腔内に注入するための気体注入手段と、
前記気体注入手段に接続され、前記患者の体腔内に注入される所定の気体の温度を変更可能な温度変更手段と、
前記気体注入手段により注入された前記患者の体腔内の前記所定の気体の温度変化を判別可能な判別手段と、
前記患者の体腔内に注入される前記所定の気体の温度を変更するために前記判別手段の判別結果が入力され、入力される判別結果に基づいて前記温度変更手段を制御可能な制御手段と、
を有することを特徴とする送気装置。
【請求項２】
患者の体腔内に注入するための所定の気体を所定の圧力で送気可能な送気源と、
前記送気源に接続されると共に前記患者の体腔内に挿入され、前記送気源より送気される前記所定の気体を前記患者の体腔内に注入するための気体注入手段と、
前記気体注入手段に接続され、前記患者の体腔内に注入される所定の気体の温度を変更可能な温度変更手段と、
前記送気源により前記所定の気体を注入され膨らまされた前記患者の体腔内に挿入して共に使用される医療機器の動作状態を判別可能な周辺機器動作状態判別手段と、
前記患者の体内に注入される前記所定の気体の温度を変更するために前記周辺機器動作状態判別手段の判別結果が入力され、入力される判別結果に基づいて前記温度変更手段を制御可能な制御手段と、
を有することを特徴とする送気装置。
【発明の詳細な説明】
【０００１】
【発明の属する技術分野】
本発明は、体腔内に炭酸ガス等の送気ガスを供給する送気装置に関する。
【０００２】
【従来の技術】
近年、患者への侵襲を少なくするために、開腹することなく内視鏡で処置具と処置部位とを観察しながら治療処置を行う腹腔鏡外科手術が行われている。この腹腔鏡外科手術は、観察用の内視鏡を腹腔内に導くトラカールと処置具を処置部に導くトラカールとを患者の腹部に刺して行われる。その際、内視鏡の観察視野や処置空間を確保するために、例えば炭酸ガス等の送気ガスが送気装置によって制御され、腹腔内に注入される。
【０００３】
こうした送気装置においては、ガスを減圧する手段において断熱膨張作用によりガスが冷却され、低い温度のガスが患者の体腔内に供給されてしまうという問題点があった。こうした点に鑑みて、例えば特公平７−１１０２７６号公報に開示されているように、送気ガスの供給路に加熱手段を設け、体腔内に送られるガスの温度を患者の体温とほぼ一定に保ち、患者の体腔内に供給する技術が知られている。
【０００４】
【特許文献１】
特公平７−１１０２７６号公報
【０００５】
【発明が解決しようとする課題】
しかしながら、特許文献１に開示されているような従来技術では、以下のような問題点がある。
【０００６】
（１）患者の体腔内で、高周波焼灼装置、レーザ装置、自動出力制御（ＡＰＣ）装置等の各種のエネルギ発生手段をもって生体組織を切開、凝固するためのエネルギ処置具を使用した場合、体腔内のガスの温度が患者の体温以上に上昇する虞がある。
【０００７】
（２）患者の体腔内には内視鏡のライトガイドを通じて照明光が導かれているため、こうした観察のための照明光も組織に吸収されて患者の体腔内の温度を上昇させる原因となる。
【０００８】
（３）加熱手段が常に通電状態で保持されるので、消費電力が多くなる。
【０００９】
本発明は上記事情に鑑みてなされたもので、患者の体腔内に挿入されて使用される医療機器からの熱的な影響を考慮して体腔内の送気ガスの温度を一定に保ち、患者の体温の上昇或いは低下を防止すると共に、消費電力の節減を図ることが可能な送気装置を提供することを目的としている。
【００１０】
【課題を解決するための手段】
上記目的を達成するため、本発明による第１の送気装置は、患者の体腔内に注入するための所定の気体を所定の圧力で送気可能な送気源と、前記送気源に接続されると共に前記患者の体腔内に挿入され、前記送気源より送気される前記所定の気体を前記患者の体腔内に注入するための気体注入手段と、前記気体注入手段に接続され、前記患者の体腔内に注入される所定の気体の温度を変更可能な温度変更手段と、前記気体注入手段により注入された前記患者の体腔内の前記所定の気体の温度変化を判別可能な判別手段と、前記患者の体腔内に注入される前記所定の気体の温度を変更するために前記判別手段の判別結果が入力され、入力される判別結果に基づいて前記温度変更手段を制御可能な制御手段とを有することを特徴とする。
【００１１】
本発明による第２の送気装置は、患者の体腔内に注入するための所定の気体を所定の圧力で送気可能な送気源と、前記送気源に接続されると共に前記患者の体腔内に挿入され、前記送気源より送気される前記所定の気体を前記患者の体腔内に注入するための気体注入手段と、前記気体注入手段に接続され、前記患者の体腔内に注入される所定の気体の温度を変更可能な温度変更手段と、前記送気源により前記所定の気体を注入され膨らまされた前記患者の体腔内に挿入して共に使用される医療機器の動作状態を判別可能な周辺機器動作状態判別手段と、前記患者の体内に注入される前記所定の気体の温度を変更するために前記周辺機器動作状態判別手段の判別結果が入力され、入力される判別結果に基づいて前記温度変更手段を制御可能な制御手段とを有することを特徴とする。
【００１２】
【発明の実施の形態】
以下、図面を参照して本発明の実施の形態を説明する。図１及び図２は本発明の実施の第１形態に係わり、図１は医療用の内視鏡システムを用いて内視鏡的手術を行う場合の装置及び使用状態を示す説明図、図２は加温・加湿装置の概略断面図である。
【００１３】
図１に示すように本実施形態の内視鏡システム１は、例えば基端部に接眼部２ａを有する内視鏡２と、この内視鏡２に照明光を供給する光源装置３と、処置部位の止血を行ったり組織の切除を行う高周波焼灼装置４と、視野及び処置領域を確保するために腹腔内を膨らませる送気ガスを供給する送気装置５と、送気ガスの温度を変更可能な温度変更手段として送気ガスを暖め且つ湿らせるための加温・加湿装置６と、これら装置からの出力信号を受けて加温・加湿装置６を制御するための制御装置７とで主に構成されている。
【００１４】
患者の腹部には前記内視鏡２や手術器具を腹腔内に導くための挿通孔を有するガイド管であるトラカール８，９が穿刺されており、内視鏡２が挿通される挿通孔８ａを有するトラカール８にはシリコン等で形成された気腹チューブ１０の一端部が着脱用コネクタ１１によって着脱自在に取り付けられるようになっている。また、トラカール９の挿通孔９ａには、例えば所定のエネルギ発生手段をもって生体組織を切開、凝固するエネルギ処置具としての高周波処置具１２が挿通されている。
【００１５】
前記内視鏡２と光源装置３とは、内視鏡２の基端部側部から延出するライトガイドケーブル１３に設けられているライトガイドコネクタ１４によって着脱自在に接続される構成になっており、前記光源装置３に設けられているランプ１５で発生した照明光がレンズ１６によって前記ライトガイドケーブル１３の端面に集光されるようになっている。このライトガイドケーブル１３の端面に集光された照明光は、このライトガイドケーブル１３を挿通しているライトガイドファイバ束を介して内視鏡２の先端部１７まで伝送されて被写体を照らすようになっている。そして、この先端部１７から出射された照明光は被写体で反射し、内視鏡２内に被写体像を結像させ、この被写体像が図示しない観察光学系を介して接眼部２ａまで伝送されるようになっている。光源装置３と制御装置７とは信号ケーブル１８によって電気的に接続されており、光源装置３から出力されるランプ１５の点灯／消灯に伴う信号が制御装置７に入力される。
【００１６】
前記高周波焼灼装置４と高周波処置具１２とは、この高周波処置具１２の基端側から延出するアクティブコード２０を介して高周波焼灼装置４に設けられているアクティブ電極２１に電気的に接続されている。また、高周波焼灼装置４の患者電極２２には人体の皮膚に密着するように柔軟性でシート状に形成した患者プレート２３が接続されている。この高周波焼灼装置４のアクティブ電極２１及び患者電極２２は、装置内部に設けられた高周波電力を発生するＨＦ出力アンプ４ａに接続されている。高周波焼灼装置４と制御装置７とは信号ケーブル２４によって電気的に接続され、高周波焼灼装置４から出力される高周波焼灼装置４の出力状態を示す信号が制御装置７に入力される。
【００１７】
図２に示すように、前記加温・加湿装置６には加湿室２５が設けられ、この加湿室２５は、その周壁全体を水蒸気に対して透過性を持つ水蒸気透過膜２６で構成されている。水蒸気透過膜２６の周囲には保水体２７が配置され、常に供給される蒸留水によって湿潤に保たれている。保水体２７の周囲にはヒータ２８が配置されており、保水体２７に含まれる水分を加熱する。加湿室２５の出口付近にはガス温度センサ２９が設けられている。
【００１８】
加湿室２５の両端にはチューブが着脱自在に接続可能な口金３０ａ，３０ｂが設けられており、一方の口金３０ａはチューブ３１を介して送気装置５の送気口金３２に着脱自在に接続され、他方の口金３０ｂには気腹チューブ１０の一端部が着脱自在に接続されるようになっている。このような構成により、送気装置５からの送気ガスは加湿室２５に送られ、水蒸気透過膜２６を通して加熱水蒸気を含むことによって加温と同時に加湿され、気腹チューブ１０から患者の体腔内に送られる。尚、加温・加湿装置６のヒータ２８及びガス温度センサ２９は、制御ケーブル３３によって制御装置７と電気的に接続されている。
【００１９】
また、送気装置５には、上述した送気口金３２が設けられると共に、高圧口金３４が設けられている。高圧口金３４には高圧送気ガス用チューブ３５の一端部が接続され、この高圧送気ガス用チューブ３５の他端部は気体貯蔵手段としての送気ガスボンベ３６に接続されるようになっている。送気ガスボンベ３６には、例えば液化した二酸化炭素が充填されている。
【００２０】
気体貯蔵手段としての送気ガスボンベ３６は、気体貯蔵手段から気体を送出する送出部としての送気装置５内のバルブユニット３７と共に送気源を形成し、この送気源からの気体が、気腹チューブ１０と患者の体腔内に挿入可能な挿入部としてのトラカール８（気復チューブ１０をトラカール９に接続する場合には、トラカール９）とで形成される気体注入手段により、患者の体腔内に送出される。すなわち、送気ガスボンベ３６に充填されている液状の二酸化炭素は、気化されて送気装置５内のバルブユニット３７を通って所定の圧力に減圧された後、気腹チューブ１０、トラカール８の挿通孔８ａを通って腹腔内に送り込まれる。
【００２１】
この腹腔内に送り込まれる二酸化炭素送気ガスの温度や流量は、バルブユニット３７に電気的に接続された制御部３８によって制御されるようになっている。送気装置５と制御装置７とは信号ケーブル３９によって電気的に接続され、送気装置５から送気／停止を示す信号並びに送気ガス流量を表す信号が制御装置７に送信される。制御装置７は、後述するように、体腔内の気体の温度変化を判別する機能（判別手段）、光源装置３や高周波焼灼装置４等の医療機器の動作状態を判別する機能（周辺機器動作状態判別手段）、これらの判別結果に基づいて、送気ガスの温度を制御する機能（温度制御手段或いは温度変更手段としての加温・加湿装置６を制御する制御手段）を有している。
【００２２】
次に、以上のように構成されるシステムにおける送気装置５の動作について説明する。
【００２３】
送気装置５の設定部を用いて患者の腹腔内圧及び送気ガスの流量を設定した後、図示しないスタートボタンを操作して送気を開始させる。するとバルブの開閉に従って腹腔内にガスが供給され、腹腔内圧力が上昇していく。このとき、制御部３８は、設定されている患者の腹腔内圧力値と実際の腹腔内圧力との圧力差の値を常に監視しており、設定されている患者の腹腔内圧力値と実際の腹腔内圧力値との差に応じて送気流量を変化させるようバルブユニット３７を制御し、腹腔内圧力を調整する。
【００２４】
また、上述したように、腹腔内に供給される送気ガスは、加温・加湿装置６によって加温・加湿されるようになっている。加温・加湿装置６のヒータ２８は、送気装置５の送気／停止に応じてＯＮ／ＯＦＦされ、送気ガスに対する加熱量の制御は、制御装置７から送られる信号に基づいて行われる。この制御装置７による加熱制御では、以下に例示するように、光源装置３の動作状態、高周波焼灼装置４の出力状態並びに出力値を検出し、加熱制御量を決定する。
【００２５】
例えば、光源装置３の動作状態がＯＮ、高周波焼灼装置４の出力状態がＯＦＦであったならば、ガス温度センサ２９で測定されるガスの温度が５０°Ｃになるようにヒータ２８の通電を制御して加温を行う。このとき、ヒータ２８で５０°Ｃに加熱された送気ガスは、気腹チューブ１０を通過している間に熱を大気に放出し、腹腔内に送り込まれるときには３４°Ｃとなる。そして、腹腔内にて光源装置３の熱により暖められ、体温とほぼ同じ３６°Ｃになる。
【００２６】
また、例えば光源装置３の動作状態がＯＮ、高周波焼灼装置４の出力状態がＯＮ、その出力値が１００Ｗであった場合には、ガス温度センサ２９で測定されるガスの温度が４５°Ｃになるようにヒータ２８の通電を制御して加温を行う。このとき、ヒータ２８で４５°Ｃに加熱された送気ガスは、気腹チューブ１０を通過している間に熱を大気に放出し、腹腔内に送り込まれるときには約３０°Ｃとなる。そして、腹腔内にて光源装置３及び高周波焼灼装置４の熱により暖められ、体温とほぼ同じ３６°Ｃになる。
【００２７】
但し、上記説明に用いた温度については、作用を説明するための一例であり、使用状況や使用機器に応じて異なるものである。
【００２８】
このように、本実施の形態においては、送気装置５の送気／停止に応じて加温・加湿装置６のヒータ２８をＯＮ／ＯＦＦするので消費電力を節減することができる。また、高周波焼灼装置４や光源装置３等の医療機器から腹腔内の送気ガスに与えられる熱量を考慮して送気ガスの加温を行うので、腹腔内のガスの温度が患者の体温以上になる虞がなく、腹腔内のガスの温度を一定に保って患者の体温の上昇或いは低下を防止することができる。
【００２９】
図３は本発明の実施の第２形態に係わり、内視鏡システムの別の構成例を示す説明図である。以下においては、第１実施形態と同様の構成部分には同一の番号を付して説明を省略する。
【００３０】
図３に示すように、第２形態の内視鏡システム１Ａは、内視鏡２と、この内視鏡２に照明光を供給する光源装置３と、高周波焼灼装置４と、送気装置５と、加温・加湿装置６と、患者の手のひらなどの体温表を測定する体表温測定部４０及び鼓膜などの中枢温を測定する中枢温測定部４１を備えた体温測定装置４２と、手術室の室温を測定する室温測定部４３と、これら装置からの出力信号を受けて制御する制御装置４４とを備えて構成されている。
【００３１】
第２形態では、まず手術を行う際、体表温測定部４０を患者の手のひらに貼付し、中枢温測定部４１を患者の鼓膜にセットする。そして、術中の体表温及び中枢温を、常時、体温測定装置４２で測定する。
【００３２】
第１形態と同様、図示しないスタートボタンが操作され送気が開始されると、送気中、加温・加湿装置６によって送気ガスの加温が行われる。このとき、加温されたガスは、気腹チューブ１０を通過している間に熱を大気に放出し、腹腔内に送り込まれるときには体温と略同じ温度である３６°Ｃになる。
【００３３】
気腹チューブ１０内を通過している間に奪われる熱量は、室温によって決まる値であり、室温ΔＴだけ変わったときの室温によって奪われる熱量の差ΔＱｒ（ΔＴ）を事前に測定し、この測定結果が制御装置４４のプログラムに予め入力されている。また、光源装置３が動作することにより腹腔内のガスに与えられる熱量Ｑ１、高周波焼灼装置４が出力Ｐで出力したときに腹腔内のガスに与えられる熱量Ｑ２（Ｐ）も、それぞれ事前に測定され、プログラムされている。腹腔内で生じる発熱量はＱ１＋Ｑ２（Ｐ）である。
【００３４】
制御装置４４は、上述のプログラムにより、室温、光源装置３のＯＮ／ＯＦＦ動作、高周波焼灼装置４の出力値から、加温・加湿装置６のヒータ２８の発熱量Ｑを、次のように決定する。但し、基準室温２０°Ｃのときのヒータ２８の発熱量をＱｏとする。
Ｑ＝Ｑ０＋ΔＱｒ（ΔＴ）−Ｑ１−Ｑ２（Ｐ）
【００３５】
この場合、もし体温測定装置４２にて体温の低下が検知された場合には、制御装置４４は、加温・加湿装置６に送信するヒータ２８の制御温度を上げ、体温の低下を防止する。
【００３６】
このように、第２形態においては、室温、患者の体温を測定して加温・加湿装置６を制御するため、術者は患者の体温の低下を危惧することなく手術を集中して行うことが可能となる。
【００３７】
図４及び図５は本発明の実施の第３形態に係わり、図４は医療用の内視鏡システムを用いて内視鏡的手術を行う場合の装置及び使用状態を示す説明図、図５は加温・加湿装置の概略断面図である。尚、第１形態と同様の構成部分には同一の番号を付して説明を省略する。
【００３８】
図４に示すように、第３形態の内視鏡システム１Ｂは、例えば基端部に接眼部２ａを有する内視鏡２と、この内視鏡２に照明光を供給する光源装置３と、処置部位の止血を行ったり組織の切除を行う高周波焼灼装置４と、視野及び処置空間を確保するために腹腔内を膨らませる送気ガスを供給する送気装置５Ａと、送気ガスを暖め且つ湿らせるための加温・加湿装置６Ａと、腹腔内のガスを吸引するための吸引装置４５とで主に構成されている。
【００３９】
本形態の送気装置５Ａには、チューブを閉塞して流れを制御するためのピンチバルブ４６が設けられており、このピンチバルブ４６は送気装置５Ａ内のバルブユニット３７を制御する制御部４７によって開閉制御される。吸引装置４５には吸引チューブ４８の一端が着脱自在に接続され、吸引チューブ４８の他端が、ピンチバルブ４６を介して、気腹チューブ１０が接続されているトラカール８とは別のトラカール９の口金部に着脱自在に接続されている。
【００４０】
送気装置５Ａの制御部４７は、信号ケーブル３９Ａを介して吸引装置４５と電気的に接続され、吸引装置４５の作動状態下でピンチバルブ４６が制御部４７からの信号に応じて開閉すると、腹腔から吸引装置４５への吸引チューブ４８内のガスの流れが制御される。また、送気装置５Ａの制御部４７は、信号ケーブル１８Ａを介して光源装置３と電気的に接続されると共に、信号ケーブル２４Ａを介して高周波焼灼装置４と電気的に接続されている。光源装置３は、ランプ１５の点灯／消灯に伴う信号を送気装置５Ａの制御部４７に送信し、高周波焼灼装置４は、高周波出力のＯＮ／ＯＦＦ及びその出力値を送気装置５Ａの制御部４７に送信する。
【００４１】
図５に示すように、加温・加湿装置６Ａは、第１形態の加温・加湿装置６と同様、加湿室２５、水蒸気透過膜２６、保水体２７、ヒータ２８を備えているが、第３形態の加温・加湿装置６Ａには、加湿室２５の出口付近に設けられたガス温度センサ５１からの信号に基づいて、ヒータ２８を常に同じ温度（例えば５５°Ｃ）になるように制御する制御部５２が設けられている。この制御部５２は、信号ケーブル５３を用いて送気装置５Ａの制御部４７と相互に信号の授受ができるよう接続されている。
【００４２】
次に、以上の構成による本形態の作用について説明する。第１形態と同様、図示しないスタートボタンが操作され送気が開始されると、送気の信号が送気装置５Ａから加温・加湿装置６Ａの制御部５２へと送られ、制御部５２はヒータ２８を作動させ、上述したように、ガス温度を一定の温度、例えば５５°Ｃになるように制御を開始する。尚、送気が停止している間は、送気信号が送信されないため、加温・加湿装置６Ａのヒータ２８は通電されない状態である。
【００４３】
手術中に止血や組織凝固を行うため高周波焼灼装置４が出力すると、組織が焼灼されると同時に煙が発生する。送気装置５Ａの制御部４７は、高周波焼灼装置４の出力を検知し、バルブユニット３７及びピンチバルブ４６を次のように制御する。
【００４４】
高周波焼灼装置４が出力している間、バルブユニット３７を制御して送気／停止を断続的に繰り返す。それと同時に、吸引装置４５を作動させてピンチバルブ４６を開閉し、吸引装置４５から腹腔ガスを断続的に排出する。また、腹腔内の圧力が高まった場合には送気量を下げ、腹腔内の圧力が低くなった場合には排出力を下げるように制御を行う。その結果、腹腔内の圧力が維持されたまま、腹腔内の煙に満ちたガスが新しいガスに置き換えられる。こうした作用により、腹腔内の煙に満ちたガスが排出され、新しいガスに置き換えられる。
【００４５】
また、加温・加湿装置６Ａにより送気ガスは加温されて患者の腹腔に送られる。高周波焼灼装置４が出力している間、送気装置５Ａの制御部４７は、送気信号を送信するに加えて、高周波焼灼装置４が作動していることを表す信号を加温・加湿装置６Ａの制御部５２に送信する。加温・加湿装置６Ａの制御部５２は、この信号に応じて、通常、ガス温度が５５°Ｃで一定になるようヒータ２８を制御するところを、高周波焼灼装置４が作動することによる腹腔内での発熱量を考慮して、ガス温度を例えば５０°Ｃで一定となるように目標温度を切り換え、ヒータ２８の制御を行う。
【００４６】
これにより、腹腔内で高周波焼灼装置４が作動している間、煙が排出されて視界良く保たれるばかりでなく、腹腔内の発熱の影響を考慮して送気ガスの加温温度を下げるため、腹腔内のガス温度が患者の体温以上になる可能性をより少なくすることができる。
【００４７】
本発明は、以上述べた各実施形態のみに限定されるものではなく、発明の要旨を逸脱しない範囲で種々変形実施可能である。例えば、エネルギ処置具の一例として高周波焼灼装置４を挙げたが、レーザ装置やＡＰＣ装置との組合わせによる構成においても同様の効果が得られる。また、加温・加湿装置６（６Ａ）は、送気装置５（５Ａ）の一機能部分であっても良く、制御装置７（４４）は、送気装置５（５Ａ）、高周波焼灼装置４、或いは光源装置３に含まれた一機能であっても良い。
【００４８】
［付記１］  患者の体腔内に所定の気体を注入することにより前記体腔内を気腹する送気装置において、
気腹された前記体腔内に挿入して共に使用される医療機器の動作を判別する周辺機器動作判別手段と、
前記周辺機器動作状態判別手段の判別結果に基づいて、注入される気体の温度を制御する温度制御手段と、
を有することを特徴とする送気装置。
【００４９】
［付記２］
前記送気源は、患者の体内に注入するための所定の気体を所定の圧力で貯蔵可能な気体貯蔵手段と、
前記気体貯蔵手段に設けられ前記所定の気体を前記気体貯蔵手段から送出するための送出部と、
により構成されていることを特徴とする請求項１又は２記載の送気装置。
【００５０】
［付記３］
患者の体腔内に気体を送る送気部と、気体を加熱する加温部と、前記送気部および加温部を制御する制御部とからなる送気装置であって、前記制御部は腹腔内にて生じる、少なくとも１つ以上の他の装置からの発熱量を検知し、発熱量に応じて加温部を制御することを特徴とする送気装置。
【００５１】
［付記４］
前記他の装置はエネルギ処置具または、および光源装置である、付記３に記載の送気装置。
【００５２】
［付記５］
患者の体腔内に気体を送る送気部と、気体を加熱する加温部と、前記送気部および加温部を制御する制御部とからなる送気装置であって、前記制御部はエネルギ処置具の出力状態を検出し、その出力されている間、加温部の加温熱量を減少させるよう制御することを特徴とする送気装置。
【００５３】
【発明の効果】
以上説明したように本発明によれば、患者の体腔内に挿入されて使用される医療機器からの熱的な影響を考慮して体腔内の送気ガスの温度を一定に保つことができ、患者の体温の上昇或いは低下を防止して患者及び医師の負担を軽減できると共に、消費電力の節減を図ることが可能となる。
【図面の簡単な説明】
【図１】本発明の実施の第１形態に係わり、医療用の内視鏡システムを用いて内視鏡的手術を行う場合の装置及び使用状態を示す説明図
【図２】同上、加温・加湿装置の概略断面図
【図３】本発明の実施の第２形態に係わり、内視鏡システムの構成例を示す説明図
【図４】本発明の実施の第３形態に係わり、医療用の内視鏡システムを用いて内視鏡的手術を行う場合の装置及び使用状態を示す説明図
【図５】同上、加温・加湿装置の概略断面図
【符号の説明】
１  内視鏡システム
２  内視鏡
３  光源装置
４  高周波焼灼装置
５  送気装置
６  加温・加湿装置
７  制御装置
１０  気腹チューブ
３６  送気ガスボンベ
３７  バルブユニット
【図１】
2004159688.tif 000003
【図２】
2004159688.tif 000004
【図３】
2004159688.tif 000005
【図４】
2004159688.tif 000006
【図５】
2004159688.tif 000007